(57)【要約】  【目的】  ディジタル・スチル・カメラにおいて音声ファイルが変換されたテキスト・ファイルを得る。  【構成】  ディジタル・スチル・カメラ１から変換サーバ３に，音声ファイルが送信される。すると，変換サーバ３において，音声ファイルが，その音声ファイルにもとづいて出力される音声をテキストとして表したテキスト・ファイルが生成される。テキスト・ファイルのファイル名は，音声ファイルのファイル名と一部同じとされる。生成されたテキスト・ファイルが変換サーバ３からディジタル・スチル・カメラ１に送信される。ディジタル・スチル・カメラ１においてテキスト・ファイルが受信されると，その受信されたテキスト・ファイルがディジタル・スチル・カメラ１によってメモリ・カードに記録される。ディジタル・スチル・カメラ１が音声／テキスト変換機能をもたないものでも音声ファイルをテキスト・ファイルに変換できる。  【選択図】  図１
2006133433.tif 000002
【特許請求の範囲】
【請求項１】
画像ファイルと音声ファイルとを関連づけて記録媒体に記録する携帯型端末装置と，上記携帯型端末装置と通信可能な変換サーバとを備えた音声／文字変換システムにおいて，
上記携帯型端末装置が，
上記記録媒体に記録されている上記音声ファイルを上記変換サーバに送信する音声ファイル送信手段を備え，
上記変換サーバが，
上記携帯型端末装置の上記音声ファイル送信手段から送信された音声ファイルを受信する音声ファイル受信手段，
上記音声ファイル受信手段によって受信した音声ファイルにもとづいて出力される音声を文字として表す文字データに変換する文字データ変換手段，および
上記文字データ変換手段によって変換された文字データを上記携帯型端末装置に送信する文字データ送信手段を備え，
上記携帯型端末装置が，
上記変換サーバの上記文字データ送信手段から送信された文字データを受信する文字データ受信手段，および
上記文字データ受信手段によって受信した文字データを上記携帯型端末装置の上記音声ファイル送信手段から送信された音声ファイルに関連付けられている画像ファイルに関連付けて上記記録媒体に記録する記録制御手段，
を備えた音声／文字変換システム。
【請求項２】
画像ファイルと音声ファイルとを関連づけて記録媒体に記録する携帯型端末装置において，
上記記録媒体に記録されている上記音声ファイルを変換サーバに送信する音声ファイル送信手段，
上記音声ファイル送信手段から送信された音声ファイルが上記変換サーバにおいて受信されたことに応じて，上記変換サーバにおける変換処理により上記音声ファイルにもとづいて出力される音声を文字として表し，かつ上記変換サーバから送信される文字データを受信する文字データ受信手段，および
上記文字データ受信手段によって受信した文字データを上記音声ファイル送信手段から送信された音声ファイルに関連付けられている画像ファイルに関連付けて上記記録媒体に記録する記録制御手段，
を備えた携帯型端末装置。
【請求項３】
上記記録媒体に記録されている音声ファイルにもとづいて出力される音声を文字として表す文字データに変換する文字データ変換手段，および
上記文字データ変換手段によって文字データに変換されなかったかどうかを判定する第１の判定手段をさらに備え，
上記音声ファイル送信手段は，上記第１の判定手段によって文字データに変換されなかったと判定されたことに応じて上記音声ファイルを上記変換サーバに送信するものであり，
上記記録制御手段は，上記第１の判定手段によって文字データに変換されたと判定されたことに応じて，変換された文字データを上記音声ファイル送信手段から送信された音声ファイルに関連付けられている画像ファイルに関連付けて上記記録媒体に記録するものである，
請求項２に記載の携帯型端末装置。
【請求項４】
上記記録制御手段は，文字データを画像ファイルのヘッダに記録することにより，文字データと画像ファイルとを関連づけるものである，
請求項２に記載の携帯型端末装置。
【請求項５】
上記記録制御手段は，文字データを格納する文字ファイルのファイル名の一部と画像ファイルのファイル名の一部とを共通にすることにより，文字データと画像ファイルとを関連づけるものである，
請求項２に記載の携帯型端末装置。
【請求項６】
上記画像ファイルに関連付けられている文字データが存在しないかどうかを判定する第２の判定手段をさらに備え，
上記音声ファイル送信手段は，上記第２の判定手段によって，上記画像ファイルに関連付けられている文字データが存在しないと判定されたことに応じて，上記音声ファイルを上記変換サーバに送信するものである，
請求項２に記載の携帯型端末装置。
【請求項７】
携帯型端末装置から送信された音声ファイルを受信する音声ファイル受信手段，
上記音声ファイル受信手段によって受信した音声ファイルにもとづいて出力される音声を文字として表す文字データに変換する文字データ変換手段，および
上記文字データ変換手段によって変換された文字データを上記携帯型端末装置に送信する文字データ送信手段，
を備えた変換サーバ。
【請求項８】
上記携帯型端末装置から送信されたユーザ情報を受信するユーザ情報受信手段，および
上記ユーザ情報受信手段によって受信されたユーザ情報によって特定されるユーザ用の変換辞書があるかどうかを判定する判定手段をさらに備え，
上記文字データ変換手段が，上記判定手段により，ユーザ用の辞書があると判定されたことにより，そのユーザ用の変換辞書を用いて，上記受信手段によって受信した音声ファイルにもとづいて出力される音声を文字データに変換するものである，
請求項７に記載の変換サーバ。
【請求項９】
画像ファイルと音声ファイルとを関連づけて記録媒体に記録する携帯型端末装置において，
上記記録媒体に記録されている上記音声ファイルを変換サーバに送信し，
送信された音声ファイルが上記変換サーバにおいて受信されたことに応じて，上記変換サーバにおける変換処理により上記音声ファイルにもとづいて出力される音声を文字として表し，かつ上記変換サーバから送信される文字データを受信し，
受信した文字データを，送信した音声ファイルに関連付けられている画像ファイルに関連付けて上記記録媒体に記録する，
携帯型端末装置の制御方法。
【請求項１０】
携帯型端末装置から送信された音声ファイルを受信し，
受信した音声ファイルにもとづいて出力される音声を文字として表す文字データに変換し，
変換した文字データを上記携帯型端末装置に送信する，
変換サーバの制御方法。
【発明の詳細な説明】
【技術分野】
【０００１】
この発明は，音声／文字変換システムならびにそのシステムを構成する携帯型端末装置および変換サーバならびにそれらの制御方法に関する。
【背景技術】
【０００２】
ディジタル・スチル・カメラのような携帯型端末装置においては，被写体を撮像して被写体像を表す画像ファイルをメモリ・カードのような記録媒体に記録することができるだけでなく，録音することもできる。録音により，音声を出力する音声ファイルがメモリ・カードに記録される。
【０００３】
画像とともに記録されている音声注釈にもとづいて画像内容のイベントを識別するもの（特許文献１）や，音声情報をキーワードに変換して画像データに付与した後に画像処理装置に送信するもの（特許文献２）などがあるが，いずれも音声ファイルによって出力される音声を表す文字を表すデータを生成するものではない。
【特許文献１】特開2003-85190号公報
【特許文献２】特開2003-219327号公報
【０００４】
デジタル・カメラに音声認識機能をもたせ，外部電力が供給されると，音声データを文字データに変換するものもある（特許文献３）。
【特許文献３】特許第327336号
【０００５】
しかしながら，音声認識には音声認識に用いられる辞書が必要であり，十分な用語を格納していなければ正確な音声認識を行うことができないことがある。ディジタル・スチル・カメラのような小型の装置では，十分な用語を格納することは難しく，正確な音声認識ができないことがある。このために，音声ファイルを文字データに変換することができないことがある。
【０００６】
この発明は，比較的小型の装置でも音声ファイルを文字データに変換できるようにすることを目的とする。
【０００７】
第１の発明による音声／文字変換システムは，画像ファイルと音声ファイルとを関連づけて記録媒体に記録する携帯型端末装置と，上記携帯型端末装置と通信可能な変換サーバとを備えている。
【０００８】
上記携帯型端末装置は，上記記録媒体に記録されている上記音声ファイルを上記変換サーバに送信する音声ファイル送信手段を備えている。
【０００９】
上記変換サーバは，上記携帯型端末装置の上記音声ファイル送信手段から送信された音声ファイルを受信する音声ファイル受信手段，上記音声ファイル受信手段によって受信した音声ファイルにもとづいて出力される音声を文字として表す文字データに変換する文字データ変換手段，および上記文字データ変換手段によって変換された文字データを上記携帯型端末装置に送信する文字データ送信手段を備えている。
【００１０】
上記携帯型端末装置は，さらに，上記変換サーバの上記文字データ送信手段から送信された文字データを受信する文字データ受信手段，および上記文字データ受信手段によって受信した文字データを上記携帯型端末装置の上記音声ファイル送信手段から送信された音声ファイルに関連付けられている画像ファイルに関連付けて上記記録媒体に記録する記録制御手段を備えている。
【００１１】
第１の発明によると，携帯型端末装置には，画像ファイルと音声ファイルとが互いに関連づけられて記録されている。音声ファイルが携帯型端末装置から送信され，変換サーバにおいて受信される。すると，変換サーバにおいて，音声ファイルが，音声ファイルにもとづいて出力される音声を文字として表す文字データに変換される。変換された文字データが変換サーバから携帯型端末装置に送信される。変換サーバから送信された文字データが携帯型端末装置において受信されると，変換サーバに送信された音声ファイルに関連付けられている画像ファイルに，その文字データが関連付けられて記録される。
【００１２】
音声ファイルから文字データの変換は，携帯型端末装置ではなく，変換サーバで行われるので，比較的小型の装置でも行うことができるようになる。
【００１３】
第２の発明は，上記音声／文字変換システムを構成する携帯型端末装置についてのものである。すなわち，第２の発明は，画像ファイルと音声ファイルとを関連づけて記録媒体に記録する携帯型端末装置において，上記記録媒体に記録されている上記音声ファイルを変換サーバに送信する音声ファイル送信手段，上記音声ファイル送信手段から送信された音声ファイルが上記変換サーバにおいて受信されたことに応じて，上記変換サーバにおける変換処理により上記音声ファイルにもとづいて出力される音声を文字として表し，かつ上記変換サーバから送信される文字データを受信する文字データ受信手段，および上記文字データ受信手段によって受信した文字データを上記音声ファイル送信手段から送信された音声ファイルに関連付けられている画像ファイルに関連付けて上記記録媒体に記録する記録制御手段を備えていることを特徴とする。
【００１４】
第２の発明は，上記携帯型端末装置に適した制御方法も提供している。すなわち，この方法は，画像ファイルと音声ファイルとを関連づけて記録媒体に記録する携帯型端末装置において，上記記録媒体に記録されている上記音声ファイルを変換サーバに送信し，送信された音声ファイルが上記変換サーバにおいて受信されたことに応じて，上記変換サーバにおける変換処理により上記音声ファイルにもとづいて出力される音声を文字として表し，かつ上記変換サーバから送信される文字データを受信し，受信した文字データを，送信した音声ファイルに関連付けられている画像ファイルに関連付けて上記記録媒体に記録するものである。
【００１５】
音声認識機能を有さないような携帯型端末装置であっても，上述したように，音声ファイルにもとづいて出力される音声を文字として表す文字データを携帯型端末装置の記録媒体に記録することができるようになる。
【００１６】
上記記録媒体に記録されている音声ファイルにもとづいて出力される音声を文字として表す文字データに変換する文字データ変換手段，および上記文字データ変換手段によって文字データに変換されなかったかどうかを判定する第１の判定手段をさらに備えてもよい。この場合には，上記音声ファイル送信手段は，上記第１の判定手段によって文字データに変換されなかったと判定されたことに応じて上記音声ファイルを上記変換サーバに送信するものとなり，上記記録制御手段は，上記第１の判定手段によって文字データに変換されたと判定されたことに応じて，変換された文字データを上記音声ファイル送信手段から送信された音声ファイルに関連付けられている画像ファイルに関連付けて上記記録媒体に記録するものとなろう。
【００１７】
また，文字データを画像ファイルのヘッダに記録することにより，文字データと画像ファイルとを関連づけてもよいし，文字データを格納する文字ファイルのファイル名の一部と画像ファイルのファイル名の一部とを共通にすることにより，文字データと画像ファイルとを関連づけるものでもよい。
【００１８】
上記画像ファイルに関連付けられている文字データが存在しないかどうかを判定する第２の判定手段をさらに備えてもよい。この場合，上記音声ファイル送信手段は，上記第２の判定手段によって，上記画像ファイルに関連付けられている文字データが存在しないと判定されたことに応じて，上記音声ファイルを上記変換サーバに送信するものとなろう。
【００１９】
第３の発明は，上記音声／文字変換システムを構成する変換サーバについてのものである。すなわち，携帯型端末装置から送信された音声ファイルを受信する音声ファイル受信手段，上記音声ファイル受信手段によって受信した音声ファイルにもとづいて出力される音声を文字として表す文字データに変換する文字データ変換手段，および上記文字データ変換手段によって変換された文字データを上記携帯型端末装置に送信する文字データ送信手段を備えていることを特徴とする。
【００２０】
第３の発明は，上記変換サーバに適した制御方法も提供している。すなわち，この方法は，携帯型端末装置から送信された音声ファイルを受信し，受信した音声ファイルにもとづいて出力される音声を文字として表す文字データに変換し，変換した文字データを上記携帯型端末装置に送信するものである。
【００２１】
第３の発明によると，上述したように，携帯型端末装置から送信された音声ファイルにもとづいて出力される音声を文字として表す文字データを変換することができる。変換された文字データが携帯型端末装置に送信される。
【００２２】
上記携帯型端末装置から送信されたユーザ情報を受信するユーザ情報受信手段，および上記ユーザ情報受信手段によって受信されたユーザ情報によって特定されるユーザ用の変換辞書があるかどうかを判定する判定手段をさらに備えてもよい。この場合，上記文字データ変換手段は，上記判定手段により，ユーザ用の辞書があると判定されたことにより，そのユーザ用の変換辞書を用いて，上記受信手段によって受信した音声ファイルにもとづいて出力される音声を文字データに変換するものとなろう。
【実施例】
【００２３】
図１は，この発明の実施例を示すもので，音声／文字変換システムの全体の構成を示している。
【００２４】
音声／文字変換システムには，ディジタル・スチル・カメラ１と変換サーバ３とが含まれている。変換サーバ３は，通信回線によって無線アクセス・ポイント２と接続されている。また，ディジタル・スチル・カメラ１は，無線アクセス・ポイント２と無線通信が可能である。
【００２５】
この実施例による音声／文字変換システムにおいては，ディジタル・スチル・カメラ１から無線アクセス・ポイント２を介して変換サーバ３に音声ファイルが送信される。変換サーバ３において，音声ファイルによって出力される音声を文字として表すテキスト・ファイルが生成される。生成されたテキスト・ファイルが変換サーバ３から送信され，無線アクセス・ポイント２を介してディジタル・スチル・カメラ１に送信される。テキスト・ファイルは，ディジタル・スチル・カメラ１のメモリ・カードに記録される。音声ファイルをテキスト・ファイルに変換するには，多数の用語が格納されている辞書が必要であるが，変換サーバ３において音声ファイルがテキスト・ファイルに変換するので，ディジタル・スチル・カメラ１には，多数の用語が格納されている辞書は不要となる（ディジタル・スチル・カメラ１において音声ファイルをテキスト・ファイルに変換する処理が必要なければディジタル・スチル・カメラ１に辞書を格納する必要もない。）。
【００２６】
もちろん，無線アクセス・ポイント２を使用せずにディジタル・スチル・カメラ１と変換サーバ３とが通信して音声ファイルをテキスト・ファイルに変換する処理を行ってもよいのはいうまでもない。
【００２７】
図２は，この発明の実施例によるディジタル・スチル・カメラの電気的構成を示すブロック図である。
【００２８】
ディジタル・スチル・カメラの全体の動作は，ＣＰＵ30によって統括される。
【００２９】
ディジタル・スチル・カメラには，二段ストローク・タイプのシャッタ・レリーズ・ボタン，撮像モード，再生モード，音声付加モード，音声／テキスト変換モードなどを設定するモード設定ダイアルなどを含む操作器31が含まれている。この操作器31からの操作信号は，ＣＰＵ30に入力する。また，ディジタル・スチル・カメラは，ストロボ撮影が可能であり，ストロボ発光回路35が含まれている。このストロボ発光回路35からの出射光が被写体に照射される。すると，被写体からの反射光が受光回路36において受光される。受光回路36からの受光信号にもとづいて，ストロボ発光回路35の発光量が制御される。
【００３０】
レンズ駆動回路32によって位置が制御される撮像レンズ11によって被写体像を表す光が集光される。集められた光は，絞り駆動回路33によって制御される絞り12，赤外線カット・フィルタ13および光学的ロウ・パス・フィルタ14を介して，ＣＣＤ15に導かれる。ＣＣＤ15の受光面上に被写体像が結像する。被写体像を表す映像信号がＣＣＤ15から出力される。
【００３１】
ＣＣＤ15から出力された映像信号は，アナログ信号処理回路16に入力する。アナログ信号処理回路16において，相関二重サンプリング，ＣＣＤの感度ばらつき調整などの所定のアナログ信号処理が行われ，アナログ／ディジタル変換回路17に与えられる。アナログ／ディジタル変換回路17において，映像信号がディジタル画像データに変換される。変換されたディジタル画像データは，メモリ制御回路18によって，メイン・メモリ19に与えられ，一時的に記憶される。
【００３２】
ディジタル画像データは，メイン・メモリ19から読み取られ，ディジタル信号処理回路20に入力する。ディジタル信号処理回路20において所定のディジタル信号処理が行われる。ディジタル信号処理回路20から出力した画像データは表示制御回路25によって表示装置26に与えられる。表示装置26の表示画面上に被写体像が表示される。
【００３３】
シャッタ・レリーズ・ボタンの第一段階の押下があると，上述のようにしてメイン・メモリ19に記録された画像データは，積算回路22に入力する。積算回路22において，輝度データ成分が積算される。積算された輝度データ成分を表すデータがＣＰＵ30に与えられ，適正な露光量となるように，絞りおよびシャッタ速度が決定される。
【００３４】
シャッタ・レリーズ・ボタンの第二段階の押下があると，上述のようにしてメイン・メモリ19に記録された画像データは，圧縮／伸張処理回路21に入力する。圧縮／伸張処理回路21において，ＪＰＥＧ（joint photographic experts group）にもとづく圧縮が行われる。圧縮された画像データが画像ファイルの形式でメモリ制御回路23によってメモリ・カード24に記録される。
【００３５】
再生モードが設定されると，メモリ・カード24に記録されている画像ファイルが読み取られる。読み取られた画像ファイルに格納されている圧縮画像データが圧縮／伸張処理回路21に与えられ，データ伸張処理が行われる。伸張された画像データが表示制御回路25によって表示装置26に与えられることにより，メモリ・カード24に記録されている画像データによって表される画像が表示装置26の表示画面上に表示される。
【００３６】
音声付加モードが設定されると，ユーザによって画像が指定される。指定された画像を表す画像ファイルがメモリ・カード24から読み取られ，その画像ファイルによって表される画像が表示装置26の表示画面上に表示される。音声付加モードが設定されると，マイクロフォン38に与えられた音声がマイクロフォンによって音声信号に変換される。変換された音声信号は，音声制御回路37において音声データに変換される。変換された音声データが音声ファイルの形式でメモリ制御回路23によって，表示されている画像を表す画像ファイルと関連付けられてメモリ・カード24に記録される。
【００３７】
音声／テキスト変換モードが設定されると，音声付加モードと同様にユーザによって画像が指定される。指定された画像を表す画像ファイルがメモリ・カード26から読み出される。読み出された画像ファイルが通信制御回路27によってアンテナ28に与えられる。画像ファイルはアンテナ28から無線アクセス・ポイント２に送信され，変換サーバ３に与えられることとなる。また，無線アクセス・ポイント２を介して変換サーバ３から送信されたファイル，データ等もアンテナ28によって受信される。受信したファイル，データ等は，通信制御回路27によって所定の回路に与えられる。また，メモリ制御回路23に与えられることにより，受信したファイル，データ等がメモリ・カード24に記録される。
【００３８】
さらに，この実施例によるディジタル・スチル・カメラ１においては，音声ファイルをテキスト・ファイルに変換する機能も有している。このために，ディジタル・スチル・カメラ１のメイン・メモリ19には音声／テキスト変換に用いられる辞書データも格納されている。音声ファイルによって表される音声が音声認識され，その音声認識された音声が辞書用データによって表される辞書を用いてテキストに変換される。変換されたテキストを表すテキスト・データが格納されているテキスト・ファイルが生成され，メモリ・カード24に記録される。
【００３９】
図３は，テキスト・ファイルが生成される前のメモリ・カード24のディレクトリ構成を示している。
【００４０】
「ＤＣＩＭ」のフォルダ名をもつフォルダの中に「100＿xxxx」のフォルダ名をもつフォルダが格納されている。この「100＿xxxx」のフォルダ名をもつフォルダの中に，画像ファイルおよび音声ファイルが格納されている。
【００４１】
対応する画像ファイルのファイル名と音声ファイルのファイル名（画像ファイルに対応する音声ファイルは，上述したように，音声付加モードにおいて生成される）とは，ピリオドの前までは同じものとされている。そして，ピリオドの後の拡張子は，画像ファイルであれば，「ＪＰＧ」とされ，音声ファイルであれば，「ＷＡＶ」とされている。
【００４２】
ディジタル・スチル・カメラ１が音声／テキスト変換モードに設定されると，詳しくは後述するように，画像ファイルが選択され，その選択された画像ファイルに対応する音声ファイル（ピリオドの前のファイル名が画像ファイルと同じ音声ファイル）が見つけられる。見つけられた音声ファイルにもとづいて出力される音声を表す文字データが格納されているテキスト・ファイルが生成される。テキスト・ファイルは，後述するように変換サーバ３またはディジタル・スチル・カメラ１において生成されるが，変換サーバ３のみで生成されるようにしてもよい。
【００４３】
図４は，テキスト・ファイルが生成された後のメモリ・カード24のディレクトリ構成を示している。
【００４４】
図３に示したのと同様に，「ＤＣＩＭ」のフォルダ名をもつフォルダの中に「100＿xxxx」のフォルダ名をもつフォルダが格納されている。この「100＿xxxx」のフォルダ名をもつフォルダの中に，画像ファイルおよび音声ファイルが格納されているとともにテキスト・ファイルが格納されている。
【００４５】
テキスト・ファイルのファイル名は，音声ファイルのファイル名と同様に，対応する画像ファイルのファイル名とピリオドの前までは同じである。テキスト・ファイルの拡張子は，「ＴＸＴ」とされている。生成されたテキスト・ファイルがわかるように，テキスト・ファイルがハッチングで示されている。
【００４６】
図５は，変換サーバ３の電気的構成を示すブロック図である。
【００４７】
変換サーバ３の全体の動作は，ＣＰＵ40によって統括される。
【００４８】
変換サーバ３には，キーボードなどの操作装置41が含まれており，この操作装置41から出力される操作信号は，ＣＰＵ40に入力する。また，変換サーバ３には，表示制御回路48によって制御される表示装置49も接続されている。
【００４９】
変換サーバ３には，上述したように，無線アクセス・ポイント２と接続し，ディジタル・スチル・カメラ１と通信するための通信制御回路45も含まれている。もっとも，通信制御回路45にアンテナを接続することにより，無線アクセス・ポイント２と無線通信を行うことにより，ディジタル・スチル・カメラ１と通信するようにしてもよい。
【００５０】
無線アクセス・ポイント２を介してディジタル・スチル・カメラ１から送信されたデータ，ファイル等は，通信制御回路45において受信される。受信されたデータ，ファイル等は，メモリ制御回路46によってメイン・メモリ47に与えられ，一時的に記憶される。データ，ファイル等は，メイン・メモリ47から読み出され，データ，ファイル等の種類に応じた処理が行われる。受信したデータ，ファイル等が音声ファイルであれば，認識辞書格納装置42に格納されている認識辞書がロードされる。
【００５１】
図６は，認識辞書格納装置42に格納されている認識辞書をテーブルの形態で示している。
【００５２】
認識辞書格納装置42には，ユーザごとにそれぞれのユーザ用の認識辞書が格納されている。たとえば，ユーザＡには，ユーザＡ用の辞書Ａ，ユーザＢには，ユーザＢ用の辞書Ｂが認識辞書格納装置42に格納されている。また，認識辞書格納装置42には，一般ユーザ用の一般辞書も格納されている。
【００５３】
認識辞書格納装置42には，ユーザごとの辞書が格納されていることから，音声ファイルを送信したユーザに対応した辞書がロードされて音声認識が行われる。認識辞書格納装置42に，対応する辞書が格納されていないユーザから音声ファイルが送信された場合には，一般ユーザ用の一般辞書がロードされて音声認識が行われる。
【００５４】
図５を参照して，ロードされた認識辞書を用いて，メイン・メモリ47に記憶されている音声ファイルにもとづいて出力される音声が音声認識処理回路43において認識される。すると，認識された音声を文字で表すテキスト・データが格納されているテキスト・ファイルが生成される。生成されたテキスト・ファイルが通信制御回路45によって無線アクセス・ポイント２を介してディジタル・スチル・カメラ１に送信されることとなる。
【００５５】
図７および図８は，ディジタル・スチル・カメラ１の処理手順を示すフローチャート，図９は，変換サーバ３の処理手順を示すフローチャートである。
【００５６】
ディジタル・スチル・カメラ１のモードが音声／テキスト変換モードに設定される。ユーザは，ディジタル・スチル・カメラ１の表示装置26の表示画面上に画像を表示しながら，所望の画像を指定する。その指定された画像を表す画像ファイルがメモリ・カード24から見つけられる（ステップ51）。すると，見つけられた画像ファイルに関連付けられている音声ファイルが見つけられる（ステップ52）。
【００５７】
音声ファイルが見つけられると（ステップ53でＹＥＳ），ユーザによって指定された画像を表す画像ファイルに関連付けられているテキスト・ファイルがすでにメモリ・カード24に記録されているかどうかが確認される（ステップ54）。画像ファイルに関連付けられているテキスト・ファイルが無ければ（ステップ54でＮＯ），このテキスト・ファイルを生成するために見つけられた音声ファイルがテキスト・ファイルに変換される（ステップ55）。テキスト・ファイルがすでに生成されているかどうかは，ファイル名を利用して確認できる。また，後述するように，テキスト・データが画像ファイルのヘッダ記録領域に記録される場合には，そのヘッダ記録領域のうちテキスト・データが記録されるべき領域にテキスト・データが格納されているかどうかを確認することにより，テキスト・データがあるかどうかを確認できる。
【００５８】
ディジタル・スチル・カメラ１に設けられているメイン・メモリ19は，その容量が少ないことが多いために，メイン・メモリ19に格納されている辞書データによって表される辞書の用語数も比較的少ない。このため，音声ファイルをテキスト・ファイルに変換できないことがある。テキスト・ファイルに変換できないと（ステップ56でＮＯ），ユーザによって選択された画像を表す画像ファイルのヘッダ記録領域に記録されているユーザ情報が読み取られる（ステップ57）。ユーザによって選択された画像を表す画像ファイルと読み取られたユーザ情報とが無線アクセス・ポイント２を介して変換サーバ３に送信される（ステップ58）。
【００５９】
図９を参照して，ディジタル・スチル・カメラ１から送信されたデータ等が変換サーバ３において受信されると（ステップ71），音声認識装置43が起動させられる（ステップ72）。受信したデータ等の中にユーザ情報が含まれていれば（ステップ73でＹＥＳ），そのユーザ情報によって特定されるユーザ用の認識辞書が認識辞書格納装置42にあるかどうかが確認される（ステップ74）。対応するユーザ辞書が認識辞書格納装置42にあれば（ステップ74でＹＥＳ），そのユーザ辞書が認識辞書格納装置42からロードされる（ステップ75）。対応するユーザ辞書が認識辞書格納装置42に無い（ステップ74でＮＯ），またはユーザ情報を受信しなかった場合には（ステップ73でＮＯ），一般辞書が認識辞書格納装置42からロードされる（ステップ76）。
【００６０】
認識辞書格納装置42からロードされた辞書を用いて，ディジタル・スチル・カメラ１から送信された音声ファイルがテキスト・ファイルに変換される（ステップ77）。変換されたテキスト・ファイルのファイル名は，上述したように，音声ファイル（画像ファイル）のファイル名と拡張子を除いて一致するものがつけられる。変換されたテキスト・ファイルが無線アクセス・ポイント２を介してディジタル・スチル・カメラ１に送信される（ステップ78）。
【００６１】
図８を参照して，変換サーバ３から送信されたテキスト・ファイルがディジタル・スチル・カメラ１において受信されると（ステップ59でＹＥＳ），その受信されたテキスト・ファイルがメモリ・カード24に記録される（ステップ60）。
【００６２】
次の画像がユーザによって指定され，その指定された画像ファイルがあれば（ステップ61でＹＥＳ），ステップ51からの処理が繰り返される。
【００６３】
図７を参照して，ユーザによって指定された画像を表す画像ファイルに関連付けられている音声ファイルが無い場合には（ステップ53でＮＯ），音声ファイルをテキスト・ファイルに変換することができないし，画像ファイルに関連付けられているテキスト・ファイルがある場合には（ステップ54でＹＥＳ），テキスト・ファイルを生成する必要がないから次の画像があるかどうかの判断処理（ステップ61）にスキップされる。
【００６４】
また，ディジタル・スチル・カメラ１において音声ファイルをテキスト・ファイルに変換できた場合には（ステップ56でＹＥＳ），その音声ファイルが変換サーバ３に送信されることなく，変換されたテキスト・ファイルがメモリ・カード24に記録される（ステップ60）。
【００６５】
上述した実施例では，画像ファイル（音声ファイル）とテキスト・ファイルとはファイル名の一部が共通にすることにより，互いに関連付けられているが，テキスト・データを画像ファイルのヘッダ記録領域に記録することにより，画像ファイルとテキスト・データとを関連づけることもできる。
【００６６】
図10は，画像ファイルのファイル構造を示している。
【００６７】
画像ファイルには，ヘッダ記録領域と画像データ記録領域とが規定されている。
【００６８】
ヘッダ記録領域には，画像ファイルに管理データが記録される。画像データ記録領域には，画像データが記録される。
【００６９】
このような画像ファイルにおいて，上述のように，ディジタル・スチル・カメラ１または変換サーバ３において変換されたテキスト・データがヘッダ記録領域に記録されることにより，画像ファイルとテキスト・データとが関連付けられる。変換サーバ３においてテキスト・ファイルを生成し，生成されたテキスト・ファイルの中からテキスト・データを読み出して画像ファイルのヘッダ記録領域に記録するようにしてもよいし，変換サーバ３からテキスト・データをディジタル・スチル・カメラ１に送信して，そのテキスト・データをディジタル・スチル・カメラ１においてメモリ・カード24のヘッダ記録領域に記録するようにしてもよい。
【００７０】
上述した実施例においては，ディジタル・スチル・カメラが用いられているが，ディジタル・スチル・カメラに限らず，携帯電話など他の携帯型端末装置を利用するようにしてもよい。
【図面の簡単な説明】
【００７１】
【図１】音声／文字変換システムの概要を示している。
【図２】ディジタル・スチル・カメラの電気的構成を示すブロック図である。
【図３】ディレクトリ構成を示している。
【図４】ディレクトリ構成を示している。
【図５】変換サーバの電気的構成を示している。
【図６】認識辞書格納装置にユーザごとの認識辞書が格納されている様子を示すテーブルである。
【図７】ディジタル・スチル・カメラの処理手順を示すフローチャートである。
【図８】ディジタル・スチル・カメラの処理手順を示すフローチャートである。
【図９】変換サーバの処理手順を示すフローチャートである。
【図１０】画像ファイルのファイル構造を示している。
【符号の説明】
【００７２】
１  ディジタル・スチル・カメラ
３  変換サーバ
23，46  メモリ制御回路
24  メモリ・カード
27，45  通信制御回路
28  アンテナ
30，40  ＣＰＵ
42  認識辞書格納装置
43  音声認識処理装置
【図１】
2006133433.tif 000003
【図２】
2006133433.tif 000004
【図３】
2006133433.tif 000005
【図４】
2006133433.tif 000006
【図５】
2006133433.tif 000007
【図６】
2006133433.tif 000008
【図７】
2006133433.tif 000009
【図８】
2006133433.tif 000010
【図９】
2006133433.tif 000011
【図１０】
2006133433.tif 000012